【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
複数の通信端末により構成され、第１の上記通信端末から発信されて第２の上記通信端末を経由して第３の上記通信端末に送信される第１のメッセージ及び当該第１のメッセージに対して上記第３の通信端末から発信されて上記第２の通信端末を経由して上記第１の通信端末に送信される第２のメッセージに基づいて、上記第１乃至第３の通信端末が上記第１又は第３の通信端末までの経路をそれぞれ作成し、当該作成した上記経路を介して上記第１及び第３の通信端末間で通信する通信システムにおいて、
上記第１の通信端末は、
上記第３の通信端末との上記通信に使用する上記経路に対する要求を含む経路要求を送信する経路要求送信手段を具え、
上記第２及び第３の通信端末は、
上記第１又は第２のメッセージをそれぞれ重複して受信することにより上記第１又は第３の通信端末までの上記経路をそれぞれ複数作成する経路作成手段と、
上記経路作成手段により作成された上記複数の経路のうち、上記第１の通信端末から送信された上記経路要求を満たす上記経路を、上記第１及び第３の通信端末間の通信経路として設定する経路設定手段とを具える
ことを特徴とする通信システム。
【請求項２】
複数の通信端末により構成され、第１の上記通信端末から発信されて第２の上記通信端末を経由して第３の上記通信端末に送信される第１のメッセージ及び当該第１のメッセージに対して上記第３の通信端末から発信されて上記第２の通信端末を経由して上記第１の通信端末に送信される第２のメッセージに基づいて、上記第１乃至第３の通信端末が上記第１又は第３の通信端末までの経路をそれぞれ作成し、当該作成した上記経路を介して上記第１及び第３の通信端末間で通信する通信方法において、
上記第２及び第３の通信端末が、上記第１又は第２のメッセージを重複して受信することにより上記第１又は第３の通信端末までの上記経路を複数作成する第１のステップと、
上記第１の通信端末が、上記第３の通信端末との上記通信に使用する上記経路に対する要求を含む経路要求を送信する第２のステップと、
上記第２及び第３の通信端末が、作成した上記複数の経路のうち、上記第１の通信端末から送信された上記経路要求を満たす上記経路を、上記第１及び第３の通信端末間の通信経路として設定する第３のステップと
を具えることを特徴とする通信方法。
【請求項３】
所望する第１の通信端末を送信先とする所定の第１のメッセージを送信する送信手段と、
上記第１の通信端末を送信先として、当該第１の通信端末との通信に使用する上記経路に対する要求を含む経路要求を送信する経路要求送信手段と
を具えることを特徴とする通信端末装置。
【請求項４】
上記経路要求送信手段は、
上記第１の通信端末に送信すべきデータの属性に応じた上記経路要求を送信する
ことを特徴とする請求項３に記載の通信端末装置。
【請求項５】
上記経路要求送信手段は、
上記経路要求の再送を行う場合に、当該経路に対する要求を緩和するように変更する
ことを特徴とする請求項３に記載の通信端末装置。
【請求項６】
所望する第１の通信端末を送信先とする所定の第１のメッセージを送信する第１のステップと、
上記第１の通信端末を送信先として、当該第１の通信端末との通信に使用する上記経路に対する要求を含む経路要求を送信する第２のステップと
を具えることを特徴とする通信端末装置の制御方法。
【請求項７】
通信端末装置に実装されるプログラムにおいて、
所望する第１の通信端末を送信先とする所定の第１のメッセージを送信する第１のステップと、
上記第１の通信端末を送信先として、当該第１の通信端末との通信に使用する上記経路に対する要求を含む経路要求を送信する第２のステップと
を具える処理をコンピュータに実行させるためのプログラム。
【請求項８】
第１の通信端末から発信された第１のメッセージ又は当該第１のメッセージに対して第２の通信端末から発信された第２のメッセージをそれぞれ重複して受信することにより、上記第１及び第２の通信端末までの経路を複数作成する経路作成手段と、
上記第１の通信端末から発信される上記第２の通信端末との通信に使用する上記経路に対する要求を含む経路要求に基づいて、上記経路作成手段により作成された上記複数の経路のうちの当該経路要求を満たす上記経路を、上記第１及び第３の通信端末間の通信経路として設定する経路設定手段と
を具えることを特徴とする通信端末装置。
【請求項９】
上記経路設定手段は、
上記経路要求及び当該経路要求に対して上記第２の通信端末から発信される応答に基づいて、上記第１の通信端末から上記第２の通信端末までの上記通信経路と、上記第２の通信端末から上記第１の通信端末までの上記通信経路とが異なるように別個に設定する
ことを特徴とする請求項８に記載の通信端末装置。
【請求項１０】
上記経路設定手段は、
上記経路要求に基づいて、対応する上記経路の生存時間を更新する
ことを特徴とする請求項８に記載の通信端末装置。
【請求項１１】
第１の通信端末から発信された第１のメッセージ又は当該第１のメッセージに対して第２の通信端末から発信された第２のメッセージをそれぞれ重複して受信することにより、上記第１及び第２の通信端末までの経路を複数作成する第１のステップと、
上記第１の通信端末から発信される上記第２の通信端末との上記通信に使用する上記経路に対する要求を含む経路要求に基づいて、作成した上記複数の経路のうちの当該経路要求を満たす上記経路を、上記第１及び第３の通信端末間の通信経路として設定する第２のステップと
を具えることを特徴とする通信端末装置の制御方法。
【請求項１２】
通信端末装置に実装されるプログラムにおいて、
第１の通信端末から発信された第１のメッセージ又は当該第１のメッセージに対して第２の通信端末から発信された第２のメッセージをそれぞれ重複して受信することにより、上記第１及び第２の通信端末までの経路を複数作成する第１のステップと、
上記第１の通信端末から発信される上記第２の通信端末との上記通信に使用する上記経路に対する要求を含む経路要求に基づいて、作成した上記複数の経路のうちの当該経路要求を満たす上記経路を、上記第１及び第３の通信端末間の通信経路として設定する第２のステップと
を具える処理をコンピュータに実行させるためのプログラム。
【請求項１３】
第１の通信端末から発信された自己をあて先とする第１のメッセージを重複して受信することにより、上記第１の通信端末までの経路を複数作成する経路作成手段と、
上記第１の通信端末から発信される自己との通信に使用する上記経路に対する要求を含む経路要求に基づいて、上記経路作成手段により作成された上記複数の経路のうちの当該経路要求を満たす上記経路を、上記第１の通信端末との間の通信経路として設定する経路設定手段と
を具えることを特徴とする通信端末装置。
【請求項１４】
上記経路設定手段は、
上記第１の通信端末から自己までの上記通信経路と、自己から上記第１の通信端末までの上記通信経路とが異なるように別個に設定する
ことを特徴とする請求項１３に記載の通信端末装置。
【請求項１５】
上記経路設定手段は、
上記経路要求に基づいて、対応する上記経路の生存時間を更新する
ことを特徴とする請求項１３に記載の通信端末装置。
【請求項１６】
第１の通信端末から発信された自己をあて先とする第１のメッセージを重複して受信することにより、上記第１の通信端末までの経路を複数作成する第１のステップと、
上記第１の通信端末から発信される自己との通信に使用する上記経路に対する要求を含む経路要求に基づいて、作成した上記複数の経路のうちの当該経路要求を満たす上記経路を、上記第１の通信端末との間の通信経路として設定する第２のステップと
を具えることを特徴とする通信端末装置の制御方法。
【請求項１７】
通信端末装置に実装されるプログラムにおいて、
第１の通信端末から発信された自己をあて先とする第１のメッセージを重複して受信することにより、上記第１の通信端末までの経路を複数作成する第１のステップと、
上記第１の通信端末から発信される自己との通信に使用する上記経路に対する要求を含む経路要求に基づいて、作成した上記複数の経路のうちの当該経路要求を満たす上記経路を、上記第１の通信端末との間の通信経路として設定する第２のステップと
を具える処理をコンピュータに実行させるためのプログラム。
【手続補正２】
【補正対象書類名】明細書
【補正対象項目名】００２８
【補正方法】変更
【補正の内容】
【００２８】
例えば、複数径路を作成するオンデマンド型のルーティングプロトコルとして、論文「On-demannd Multipath Distance Vector Routing in Ad Hoc Networks（Mahesh K.Marina, Samir R.Das,Department of Electrical & Computer Engineering and Computer Science University of Cincinnati, USA）」で提案されているマルチパスルーティング方式があるが、経路の選択方法については特に規定していない。
【手続補正３】
【補正対象書類名】明細書
【補正対象項目名】００３１
【補正方法】変更
【補正の内容】
【００３１】
かかる課題を解決するため本発明においては、第１の通信端末から発信されて第２の通信端末を経由して第３の通信端末に送信される第１のメッセージ及び当該第１のメッセージに対して第３の通信端末から発信されて第２の通信端末を経由して第１の通信端末に送信される第２のメッセージに基づいて、第１乃至第３の通信端末が第１又は第３の通信端末までの経路をそれぞれ作成し、当該作成した経路を介して第１及び第３の通信端末間で通信する通信システム、通信方法、当該通信システムに適用する通信端末装置及びその制御方法並びに当該通信端末装置に実装されるプログラムにおいて、第１の通信端末が、第３の通信端末との通信に使用する経路に対する要求を含む経路要求を送信し、第２及び第３の通信端末が、第１又は第２のメッセージをそれぞれ重複して受信することにより第１又は第３の通信端末までの経路をそれぞれ複数作成し、作成した複数の経路のうち、第１の通信端末から送信された経路要求を満たす経路を、第１及び第３の通信端末間の通信経路として設定するようにした。
【手続補正４】
【補正対象書類名】明細書
【補正対象項目名】００３３
【補正方法】変更
【補正の内容】
【００３３】
以上のように本発明によれば、第１の通信端末から発信されて第２の通信端末を経由して第３の通信端末に送信される第１のメッセージ及び当該第１のメッセージに対して第３の通信端末から発信されて第２の通信端末を経由して第１の通信端末に送信される第２のメッセージに基づいて、第１乃至第３の通信端末が第１又は第３の通信端末までの経路をそれぞれ作成し、当該作成した経路を介して第１及び第３の通信端末間で通信する通信システム、通信方法、当該通信システムに適用する通信端末装置及びその制御方法並びに当該通信端末装置に実装されるプログラムにおいて、第１の通信端末が、第３の通信端末との通信に使用する経路に対する要求を含む経路要求を送信し、第２及び第３の通信端末が、第１又は第２のメッセージをそれぞれ重複して受信することにより第１又は第３の通信端末までの経路をそれぞれ複数作成し、作成した複数の経路のうち、第１の通信端末から送信された経路要求を満たす経路を、第１及び第３の通信端末間の通信経路として設定するようにしたことにより、第１及び第３の通信端末間において最適な通信経路での通信を行うことができ、かくして信頼性の高い通信システム、通信方法、当該通信システムに適用する通信端末装置及びその制御方法並びに当該通信端末装置に実装されるプログラムを実現できる。
【手続補正５】
【補正対象書類名】明細書
【補正対象項目名】０１１５
【補正方法】変更
【補正の内容】
【０１１５】
「Hop Count」のフィールド４１４にはホップ数（初期値は「０」）が格納され、「Message ID」のフィールド４１５には、その経路アクティベーションパケット４０に付与されたＩＤ（以下、これをメッセージＩＤと呼ぶ）が格納される。なおこのメッセージＩＤは、１つの経路アクティベーションパケットに対して固有のものであり、再送しても同じものが使用される。
【手続補正６】
【補正対象書類名】明細書
【補正対象項目名】０１１６
【補正方法】変更
【補正の内容】
【０１１６】
さらに経路アクティベーションパケット４０の「Destination Address」のフィールド４１６には、この経路アクティベーションパケット４０のあて先ノードのアドレスが格納され、「Originator Address」には、この経路アクティベーションパケット４０を発信したノードのアドレスが格納される。
【手続補正７】
【補正対象書類名】明細書
【補正対象項目名】０１１７
【補正方法】変更
【補正の内容】
【０１１７】
一方、経路アクティベーションパケット４０の「Required Link Quality」のフィールド４１８には、通信経路として要求される経路の品質について閾値として設定された数値が格納され、「Flow ID」のフィールド４１９には、経路に設定するＩＤ（以下、これをフローＩＤと呼ぶ）が格納される。このフローＩＤは、同じ送信先でも異なるデータフローは異なる経路を使用して効率的に転送する等の用途に使用される。
【手続補正８】
【補正対象書類名】明細書
【補正対象項目名】０１１９
【補正方法】変更
【補正の内容】
【０１１９】
なお、これら「Required Link Quality」、「Flow ID」、「Lifetime」及び「Requirements」の各フィールドフィールド４１８〜４１１１は、通信経路として要求される条件に応じて任意に付加又は省略される。因みに、以下においては、「Required Link Quality」、「Flow ID」、「Lifetime」及び「Requirements」の各フィールドフィールド４１８〜４１１１にそれぞれ格納される使用経路に対する要求内容をまとめて経路要求パラメータと呼ぶものとする。